(57)【要約】【課題】簡単にセッティングできるとともに、発音方向ごとに音量レベルなどの調整を行うことができる用に録音する録音装置および録音再生装置を提供すること。【解決手段】本発明の実施形態に係る録音再生装置は、収音した音について、発音方向毎に分離するとともに、各発音方向に対応する音の音量レベルを調整して、音量レベルのバランスをとることができる。そして、音量レベルのバランスがとられた各発音方向の音に係る録音データを記憶するとともに、これを合成した録音データについても記憶する。これにより、収音した各発音方向からの音の音量バランスが悪くても、録音データを再生することにより、音量バランスが調整されたものとして聞くことができ、また、各発音方向に対応する録音データを用いることにより、さらに発音方向毎に音量バランスを調整することもできる。【選択図】図４
2010231089.tif 000002
【特許請求の範囲】
【請求項１】
周囲において発音される音を複数のマイクロフォンによって収音し、前記マイクロフォンの各々によって収音された音をオーディオデータとして出力する収音手段と、
前記収音手段によって出力された複数のオーディオデータを解析して、前記収音手段によって収音された音の発音方向を特定する特定手段と、
前記特定手段によって特定された発音方向が複数である場合に、前記収音手段によって出力されたオーディオデータから前記特定手段によって特定された各発音方向からの音を抽出したオーディオデータを出力する抽出手段と、
前記抽出手段によって出力された複数のオーディオデータに対して信号処理を施す信号処理手段と
を具備することを特徴とする録音装置。
【請求項２】
前記信号処理手段によって信号処理が施された複数のオーディオデータを合成する合成手段をさらに具備する
ことを特徴とする請求項１に記載の録音装置。
【請求項３】
前記信号処理手段によって信号処理された複数のオーディオデータおよび前記合成手段によって合成されたオーディオデータを出力する出力手段をさらに具備する
ことを特徴とする請求項２に記載の録音装置。
【請求項４】
前期信号処理手段における信号処理は、オーディオデータに係る音の音量レベルを調整する処理である
ことを特徴とする請求項１乃至請求項３のいずれかに記載の録音装置。
【請求項５】
請求項１乃至請求項４のいずれかに記載された録音装置と、
前記出力手段によって出力された複数のオーディオデータを記憶する記憶手段と、
前記記憶手段に記憶された複数のオーディオデータを読み出し、読み出した各オーディオデータに予め設定された信号処理を施して再生する再生手段と、
前記再生手段によって再生されたオーディオデータに係る音を放音する放音手段と
を具備することを特徴とする録音再生装置。
【発明の詳細な説明】
【技術分野】
【０００１】
本発明は、各方向から発音される音を録音する技術に関する。
【背景技術】
【０００２】
スタジオなどにおいて楽器を用いた演奏を録音する場合には、一般的にプロオーディオ機器、マルチトラックレコーダー（ＭＴＲ）、ポータブルレコーダーなどを用いることができる。このようなマルチトラックレコーダー、ポータブルレコーダーとしては、例えば、特許文献１、２に記載されている。
【先行技術文献】
【特許文献】
【０００３】
【特許文献１】特開２００６−２７６６６５号公報
【特許文献２】特開２００４−１５４６１号公報
【発明の概要】
【発明が解決しようとする課題】
【０００４】
ところで、楽器を用いた演奏の録音をするときには、各楽器の音量レベルを調整したり、音響効果を付与したりすることが求められる。このような場合には、プロオーディオ機器、マルチトラックレコーダーなどが用いられてきたが、これらの装置を使用するためには、設備を利用するための複雑な知識が必要である。また、それぞれの楽器の近傍の適切な位置にマイクロフォンを設置したり、オーディオ信号を出力する装置などから信号を取得したりする準備が必要であり、簡単にセッティングできず、手間がかかっていた。
【０００５】
一方、ポータブルレコーダーは非常に簡単に録音を行うことができるが、ポータブルレコーダーは、設置された位置において聞こえる音を録音するだけであり、一旦録音した後は、各楽器の音量レベルの調整を行うことはできず、全体の音量レベルの調整を行うことしかできなかった。
【０００６】
本発明は、上述の事情に鑑みてなされたものであり、簡単にセッティングできるとともに、発音方向ごとに音量レベルなどの調整を行うことができるように録音する録音装置および録音再生装置を提供することを目的とする。
【課題を解決するための手段】
【０００７】
上述の課題を解決するため、本発明は、周囲において発音される音を複数のマイクロフォンによって収音し、前記マイクロフォンの各々によって収音された音をオーディオデータとして出力する収音手段と、前記収音手段によって出力された複数のオーディオデータを解析して、前記収音手段によって収音された音の発音方向を特定する特定手段と、前記特定手段によって特定された発音方向が複数である場合に、前記収音手段によって出力されたオーディオデータから前記特定手段によって特定された各発音方向からの音を抽出したオーディオデータを出力する抽出手段と、前記抽出手段によって出力された複数のオーディオデータに対して信号処理を施す信号処理手段とを具備することを特徴とする録音装置を提供する。
【０００８】
また、別の好ましい態様において、前記信号処理手段によって信号処理が施された複数のオーディオデータを合成する合成手段を具備することを特徴とする。
【０００９】
また、別の好ましい態様において、前記信号処理手段によって信号処理された複数のオーディオデータおよび前記合成手段によって合成されたオーディオデータを出力する出力手段を具備することを特徴とする。
【００１０】
また、別の好ましい態様において、前期信号処理手段における信号処理は、オーディオデータに係る音の音量レベルを調整する処理であることを特徴とする。
【００１１】
また、本発明は、上記記載の録音装置と、前記出力手段によって出力された複数のオーディオデータを記憶する記憶手段と、前記記憶手段に記憶された複数のオーディオデータを読み出し、読み出した各オーディオデータに予め設定された信号処理を施して再生する再生手段と、前記再生手段によって再生されたオーディオデータに係る音を放音する放音手段とを具備することを特徴とする録音再生装置を提供する。
【発明の効果】
【００１２】
本発明によれば、簡単にセッティングできるとともに、発音方向ごとに音量レベルなどの調整を行うことができる用に録音する録音装置および録音再生装置を提供することができる。
【図面の簡単な説明】
【００１３】
【図１】本発明の実施形態に係る録音再生装置の外観を示す説明図である。
【図２】本発明の実施形態に係るマイクロフォンの配置を説明する図である。
【図３】本発明の実施形態に係る録音再生装置の構成を示すブロック図である。
【図４】本発明の実施形態に係る録音部の構成を示すブロック図である。
【図５】本発明の実施形態に係る再生部の構成を示すブロック図である。
【図６】部屋に設置された楽器と録音再生装置との位置関係および特定された発音方向の一態様を示す図である。
【図７】記憶部に記憶される録音データを説明する図である。
【図８】特定された発音方向の別の態様を説明する図である。
【発明を実施するための形態】
【００１４】
以下、本発明の一実施形態について説明する。
【００１５】
＜実施形態＞
図１は、本発明の実施形態に係る録音再生信装置１の外観を示す図である。録音再生装置１の筐体１０は、図１（ａ）、（ｂ）に示すように概ね直方体の形状である。図１（ｂ）は、図１（ａ）とは反対側から見た図であり、図１（ａ）に記載の正面１０−Ｆに対向する面（図１における矢印ＡＲ１方向から見た面）は、図１（ｂ）に記載の背面１０−Ｂに対応する。筐体１０の正面１０−Ｆには、操作ボタン１３１、表示画面１６１、スピーカ１５１、およびスピーカ１５１を保護するネット１５２が設けられている。
【００１６】
また、筐体１０の内部に、複数のマイクロフォン（この例においては、４つのマイクロフォン１４１−１、１４１−２、１４１−３、１４１−４：図２参照）が設けられ、筐体１０の底面を除く５面（上面１０−Ｔ、正面１０−Ｆ、右側面１０−Ｒ、左側面１０−Ｌ、背面１０−Ｂ）には、内部のマイクロフォン１４１−１、１４１−２、１４１−３、１４１−４を保護するカバー１４２が設けられている。
【００１７】
図２は、マイクロフォン１４１−１、１４１−２、１４１−３、１４１−４の配置を説明する図である。図２（ａ）は、録音再生装置１の背面１０−Ｂ側（図１における矢印ＡＲ１の方向）から見たマイクロフォン１４１−１、１４１−２、１４１−３、１４１−４の配置を示し、図２（ｂ）は、マイクロフォン１４１−４から見たマイクロフォン１４１−１、１４１−２、１４１−３の配置を示す図、すなわち、録音再生装置１の上面１０−Ｔ側から見たマイクロフォン１４１−１、１４１−２、１４１−３の位置関係を示している。
【００１８】
各マイクロフォン１４１−１、１４１−２、１４１−３、１４１−４は、それぞれ単一指向性を有し、それぞれ異なる方向に指向するように設置されている。具体的には、マイクロフォン１４１−１、１４１−２、１４１−３は、図２（ｂ）に示すように、それぞれの指向する方向（各マイクロフォン１４１−１、１４１−２、１４１−３から伸びる矢印方向）が互いに１２０°異なるようにして中心Ｃに向かい、それぞれ中心Ｃから等距離に配置されている。
【００１９】
また、マイクロフォン１４１−４は、マイクロフォン１４１−１、１４１−２、１４１−３とは、指向する方向が９０°異なり、図２（ａ）に示すように、中心Ｃの方向とは逆方向（マイクロフォン１４１−４から伸びる矢印方向）になるように配置されている。このように配置することにより、録音再生装置１の周囲の音（人声、楽器音、環境音など様々な音を含む）を収音することができ、各マイクロフォン１４１−１、１４１−２、１４１−３、１４１−４において収音された音を解析すれば、その音の発生源となる音源の方向（以下、発音方向という）を識別することができ、また、発音方向ごとに音を抽出することもできる。このような処理は、後述する特定部１０１および抽出部１０２において行われる。
【００２０】
図３は、本実施形態に係る録音再生装置１の構成を示すブロック図である。録音再生装置１は、制御部１１、記憶部１２、操作部１３、収音部１４、放音部１５、表示部１６およびインターフェイス１７を有し、バスを介して互いに接続されている。
【００２１】
制御部１１は、ＣＰＵ（Central Processing Unit）、ＲＯＭ（Read Only Memory）、ＲＡＭ（Random Access Memory）、ＤＳＰ（Digital Signal Processor）などを有する。ＣＰＵは、ＲＯＭに記憶されている制御プログラムを読み出して、ＲＡＭにロードして実行することにより、録音再生装置１の各部について、バスを介して制御し、後述する録音機能、再生機能などを実現する。また、ＲＡＭは、ＣＰＵが各データの加工などを行う際のワークエリアとして機能する。
【００２２】
記憶部１２は、例えば、不揮発性メモリなどの大容量記憶手段であって、後述する出力部１０５によって出力された録音データを記憶する。この録音データは、１回の録音処理に対応して複数記憶され、この複数記憶された録音データは、録音処理毎に対応付けられる。なお、記憶部１２は、外付けの不揮発性メモリなどの記録媒体を、接続インターフェイスなどを介して接続したものであってもよい。
【００２３】
操作部１３は、操作ボタン１３１を有し、利用者が操作ボタン１３１を操作するとその操作内容を表すデータが制御部１１へ出力される。この例においては、録音処理を開始、終了する指示、記憶部１２に記憶された録音データを再生する指示、各種設定指示など様々な指示を操作により行う。
【００２４】
収音部１４は、上述した複数のマイクロフォン１４１−１、１４１−２、１４１−３、１４１−４およびアナログデジタル変換部（ＡＤ）１４３（図４参照）を有する。各マイクロフォン１４１−１、１４１−２、１４１−３、１４１−４は、周囲の音を収音し、収音内容を示す収音信号を出力する。アナログデジタル変換部１４３は、各マイクロフォン１４１−１、１４１−２、１４１−３、１４１−４から出力される収音信号のそれぞれにアナログデジタル変換処理を施し、収音データＳ１、Ｓ２、Ｓ３、Ｓ４として出力する。ここで、収音部１４は、操作部１３から録音処理を開始する指示を示す信号が出力されると、収音データＳ１、Ｓ２、Ｓ３、Ｓ４の出力を開始し、操作部１３から録音処理を終了する指示を示す信号が出力されると、収音データＳ１、Ｓ２、Ｓ３、Ｓ４の出力を停止する。
【００２５】
なお、この例においては、マイクロフォンの数は４つとしていたが、複数であればよく、より多くても少なくてもよい。複数のマイクロフォンに対応して出力される収音データから発音方向が特定できる程度の数があればよい。また、アナログデジタル変換部１４３は、アナログデジタル変換を行う前に収音信号を増幅してもよい。
【００２６】
放音部１５は、スピーカ１５１を有し、制御部１１または後述する再生部２００から供給されるオーディオデータ（再生データ）に対して、デジタルアナログ変換処理、増幅処理などを行うことにより生成される音声信号をスピーカ１５１に供給し、スピーカ１５１から周囲に放音させる。図１に示したように、この例においては、スピーカ１５１は２個であるが、１個でもよいし、３個以上であってもよい。スピーカ１５１の数が多い場合には、それらから放音させる信号に対して、遅延などの処理を行うことにより、放音部１５から放音される音に指向性を付与してもよい。
【００２７】
表示部１６は、上述した表示画面１６１に画像を表示する液晶ディスプレイなどの表示デバイスである。表示部１６は、制御部１１の制御により、表示画面１６１に画像を表示する。表示画面１６１に表示される画像は、上述したように操作に応じた表示、メニュー表示など各種表示などである。また、後述する発音方向を示す表示、収音した音の音量レベル（発音方向毎でもよい）を表示するようにしてもよい。
【００２８】
インターフェイス１７は、有線、無線などにより外部機器と接続してデータの送受信を行う機能を有する。例えば、記憶手段を有するコンピュータなどと接続し、制御部１１の制御により、記憶部１２に記憶された録音データをこのコンピュータに送信し、記憶手段に記憶させる。
【００２９】
以上が、録音再生装置１の構成の説明である。次に、制御部１１が制御プログラムを実行することによって録音機能が実現されるときに構成される録音部１００について、図４を用いて説明する。ここで、録音機能とは、以下に説明する録音部１００における一連の処理（録音処理）を行う機能をいう。なお、以下に説明する録音部１００については、それぞれの各機能の全部または一部をハードウエアによって実現してもよい。
【００３０】
図４は、本実施形態に係る録音部１００の構成を示すブロック図である。録音部１００は、特定部１０１、抽出部１０２、信号処理部１０３、合成部１０４および出力部１０５を有する。
【００３１】
特定部１０１は、収音部１４のアナログデジタル変換部１４３から出力される収音データＳ１、Ｓ２、Ｓ３、Ｓ４を取得し、この収音データＳ１、Ｓ２、Ｓ３、Ｓ４を解析して、収音部１４によって収音された音の発音方向を特定する。特定部１０１において特定される発音方向は、例えば、各収音データＳ１、Ｓ２、Ｓ３、Ｓ４に係る音に対して係数をかけて足し引きすることで、収音する方向を制御できるため、係数を変えて得られる様々な方向の音のパワーの強度から算出されるようにすればよい。なお、発音方向の特定は、このような態様によるものに限らず、公知の音源検出技術を用いれば、どのように行ってもよい。
【００３２】
そして特定部１０１は、特定した発音方向を示す方向情報を抽出部１０２に出力する。特定部１０１によって複数の発音方向が特定された場合には、その複数の発音方向を示す方向情報が出力される。
【００３３】
抽出部１０２は、収音部１４のアナログデジタル変換部１４３から出力される収音データＳ１、Ｓ２、Ｓ３、Ｓ４、および特定部１０１から出力された方向情報を取得し、この収音データＳ１、Ｓ２、Ｓ３、Ｓ４から、方向情報が示す発音方向の音を抽出して、オーディオデータＰ１、Ｐ２、・・・、Ｐｎ（方向情報が示す発音方向の数がｎ個の場合）として出力する。
【００３４】
信号処理部１０３は、抽出部１０２から出力されたオーディオデータＰ１、Ｐ２、・・・、Ｐｎを取得し、それぞれに対して信号処理を施してオーディオデータＤ１、Ｄ２、・・・、Ｄｎとして出力する。信号処理とは、この例においては、ＡＧＣ（Automatic Gain Control；自動利得制御）処理であり、出力されるオーディオデータＤ１、Ｄ２、・・・、Ｄｎに係る音量レベルの一定期間の平均レベルをフィードバックしながら利得を制御することにより、オーディオデータＰ１、Ｐ２、・・・、Ｐｎに係る音量レベルを調整する。これにより、各オーディオデータＤ１、Ｄ２、・・・、Ｄｎは、音量レベルのバランスが取れたものとなる。
【００３５】
合成部１０４は、信号処理部１０３から出力されたオーディオデータＤ１、Ｄ２、・・・、Ｄｎを取得し、これらを合成してオーディオデータＤｔとして出力する。なお、特定部１０１によって特定された発音方向が１つである場合には、信号処理部１０３からはオーディオデータＤ１だけが出力されるが、この場合には、合成部１０４は１つのオーディオデータＤ１を取得するだけであるから合成処理は行わず、オーディオデータＤｔは出力しない。
【００３６】
出力部１０５は、信号処理部１０３から出力されたオーディオデータＤ１、Ｄ２、・・・、Ｄｎ取得するとともに、合成部１０４から出力されるオーディオデータＤｔを取得する。操作部１３から録音処理を終了する指示を示す信号が出力されると、収音部１４からの収音データＳ１、Ｓ２、Ｓ３、Ｓ４の出力が停止されることにより、信号処理部１０３、合成部１０４からのオーディオデータＤ１、Ｄ２、・・・、Ｄｎ、Ｄｔの出力が停止され、出力部１０５は、取得したオーディオデータＤ１、Ｄ２、・・・、Ｄｎ、Ｄｔを録音データＲ１、Ｒ２、・・・、Ｒｎ、Ｒｔとして記憶部１２に記憶させる。なお、録音処理を終了する指示を示す信号が出力される前であっても、オーディオデータＤ１、Ｄ２、・・・、Ｄｎ、Ｄｔの取得に伴い、録音データＲ１、Ｒ２、・・・、Ｒｎ、Ｒｔを記憶部１２に記憶させてもよい。
【００３７】
出力部１０５は、後述する図７に示すように、特定部１０１から方向情報についても取得して、それぞれ発音方向を示す情報と録音データＲ１、Ｒ２、・・・、Ｒｎとを対応付けて、記憶部１２に記憶させてもよい。また、録音データＲｔについては、合成して得られたデータであることを示す情報を対応付けて記憶させてもよい。
【００３８】
以上が、録音部１００の構成についての説明である。次に、制御部１１が制御プログラムを実行することによって再生機能が実現されるときに構成される再生部２００について図５を用いて説明する。ここで、再生機能とは、以下に説明する再生部２００における一連の処理（再生処理）を行う機能をいう。なお、以下に説明する再生部２００については、その機能の全部または一部をハードウエアによって実現してもよい。
【００３９】
再生部２００は、操作部１３から録音データの再生処理を開始する指示を示す信号が出力されると、記憶部１２に記憶された録音データＲ１，Ｒ２、・・・、Ｒｎ、Ｒｔのうち、必要な録音データを読み出して、予め設定された信号処理を施し、再生データＳｏｕｔとして放音部１５に出力し、再生データＳｏｕｔに係る音を放音させる。なお、再生部２００においては信号処理が必ずしも行われなくてもよく、読み出した録音データをそのまま再生データＳｏｕｔとして出力してもよい。
【００４０】
再生部２００において施される信号処理とは、この例においては、操作ボタン１３１の操作によって指示される内容に応じたものである。例えば、全部の発音方向からの音を放音させる指示であれば、録音データＲｔまたは録音データＲ１、Ｒ２、・・・、Ｒｎを合成したデータを再生データＳｏｕｔとして出力する処理となる。また、一部の発音方向からの音を放音させる指示、例えば、録音データＲ１、Ｒ２に係る発音方向からの音を放音させる指示であれば、録音データＲ１，Ｒ２を合成したデータ、または録音データＲｔから録音データＲ３、Ｒ４、・・・、Ｒｎの成分を除去したデータを再生データＳｏｕｔとして出力する処理となる。
【００４１】
さらに、再生部２００において施される信号処理は、発音方向に対応するものだけでなく、操作ボタン１３１の操作によって発音方向ごとに音量レベルを調整する指示、音響効果を付与する指示などであれば、それぞれの発音方向に対応する録音データに対して、指示に応じた信号処理を施すようにすればよい。例えば、全部の発音方向からの音を放音させる指示と録音データＲ１の音量レベルを増加させて強調させる指示があった場合には、録音データＲｔに録音データＲ１（音量レベルを増減する調整をしてもよい）をさらに合成させたデータを再生データＳｏｕｔとして出力してもよいし、録音データＲ１の音量レベルを増加させる調整をして、録音データＲ２、Ｒ３、・・・、Ｒｎをさらに合成させたデータを再生データＳｏｕｔとして出力してもよい。以上が再生部２００の構成についての説明である。
【００４２】
次に、録音再生装置１の動作について説明する。録音再生装置１は、図６に示すように、複数の楽器（ドラム１１００、ベース１２００、ギター１３００、ピアノ１４００）が設置されている部屋１０００において用い、この部屋１０００の中心に配置されたものとする。
【００４３】
図６は、部屋１０００に設置された楽器と録音再生装置１との位置関係および特定される発音方向の一態様を示す図である。利用者が録音再生装置１の操作ボタン１３１を操作して録音処理を開始する指示をすると、収音部１４から収音データが出力され、各楽器の演奏が開始されると、特定部１０１において発音方向の特定が行われる。特定された発音方向は、図６に示すように、それぞれの楽器に対応する方向（発音方向Ａ、Ｂ、Ｃ、Ｄ）となる。
【００４４】
そして、抽出部１０２は、発音方向Ａ、Ｂ，Ｃ、Ｄのそれぞれに対応したオーディオデータＰ１、Ｐ２、Ｐ３、Ｐ４を出力する。信号処理部１０３は、オーディオデータＰ１、Ｐ２、Ｐ３、Ｐ４に対してＡＧＣ処理を施して、オーディオデータＤ１、Ｄ２、Ｄ３、Ｄ４として出力する。このとき、ドラム１１００の方向である発音方向Ｄからの音は非常に大きいため、ＡＧＣ処理において、オーディオデータＰ４の音量レベルが小さくなるように調整される。したがって、オーディオデータＤ４の音量レベルは、オーディオデータＤ１、Ｄ２、Ｄ３の音量レベルとバランスが取れ、さらにこれを放音しても音割れすることを防ぐこともできる。そして、合成部１０４は、音量レベルのバランスが調整されたオーディオデータＤ１、Ｄ２、Ｄ３、Ｄ４を合成してオーディオデータＤｔとして出力する。
【００４５】
出力部１０５は、オーディオデータＤ１、Ｄ２、Ｄ３、Ｄ４、Ｄｔを取得し、ＲＡＭなどに蓄積していく。そして、利用者が操作ボタン１３１を操作して録音処理を終了する指示をすると、出力部１０５は、蓄積したオーディオデータＤ１、Ｄ２、Ｄ３、Ｄ４、Ｄｔを、録音データＲ１、Ｒ２、Ｒ３、Ｒ４、Ｒｔとして記憶部１２に記憶させる。なお、取得したオーディオデータＤ１、Ｄ２、Ｄ３、Ｄ４、Ｄｔは、録音処理を終了する指示がなくても、録音データＲ１、Ｒ２、Ｒ３、Ｒ４、Ｒｔとして直接記憶部１２に記憶させるようにしてもよい。
【００４６】
図７は、記憶部１２に記憶される録音データＲ１、Ｒ２、Ｒ３、Ｒ４、Ｒｔと発音方向の対応付けを説明する図である。出力部１０５は、記憶部１２に録音データＲ１、Ｒ２、Ｒ３、Ｒ４、Ｒｔを記憶させるときには、図７に示すように、発音方向と録音データとを対応付けて記憶させる。ここで、録音データＲｔについては、各発音方向の音の全体を合成したものであるから、例えば「全体」として対応付けられる。これにより、例えば、発音方向Ａに対応するギター１３００の音を録音したデータは、録音データＲ１であることを認識することができる。
【００４７】
次に、利用者が操作ボタン１３１を操作して録音データを再生する指示をすると、再生部２００は、記憶部１２から録音データＲｔを読み出して再生することにより、録音データＲｔに係る音が放音される。そして、放音中にピアノ１４００の音量レベルを調整したい場合に、利用者が操作ボタン１３１を操作して、ピアノ１４００に対応する発音方向Ｂの音量レベルを調整する指示をすると、再生部２００は、さらに発音方向Ｂに対応する録音データＲ２を録音データＲｔと同期する位置から読み出して、録音データＲｔと合成して再生データを出力する。
【００４８】
再生部２００は、録音データＲｔと録音データＲ２とを合成して再生データを出力するときに、録音データＲｔに係る音の成分から録音データＲ２に係る音の成分を抑制するようにすれば、ピアノ１４００の音量レベルを小さくすることになり、逆に録音データＲ２に係る音の成分を強調するようにすれば、ピアノ１４００の音量レベルを大きくすることができる。
【００４９】
なお、録音データＲｔを読み出して再生する代わりに、録音データＲ１、Ｒ２、Ｒ３、Ｒ４を読み出して再生し、これを合成した再生データに係る音を放音させてもよい。この場合には、各録音データＲ１、Ｒ２、Ｒ３、Ｒ４に係る音の音量レベルのバランスを変更して合成することにより、各発音方向に対応する音の音量レベルを調整することができる。
【００５０】
このように、本発明の実施形態に係る録音再生装置１は、収音した音について、発音方向毎に分離するとともに、各発音方向に対応する音の音量レベルを調整して、音量レベルのバランスをとることができる。そして、音量レベルのバランスがとられた各発音方向の音に係る録音データを記憶するとともに、これを合成した録音データについても記憶する。この処理については、各発音源の中心付近に設置して録音処理を開始させることにより行うことができ、手間がかからない。これにより、収音した各発音方向からの音の音量バランスが悪くても、録音データを再生することにより、音量バランスが調整されたものとして聞くことができ、また、各発音方向に対応する録音データを用いることにより、さらに発音方向毎に音量バランスを調整することもできる。
【００５１】
以上、本発明の実施形態について説明したが、本発明は以下のように、さまざまな態様で実施可能である。
【００５２】
＜変形例１＞
上述した実施形態においては、収音部１４は、４つのマイクロフォン１４１−１、１４１−２、１４１−３、１４１−４を用いていたが、略無指向性のマイクロフォンを多数並べたマイクアレイを、全方位収音可能に設けてもよい。例えば、筐体１０の正面１０−Ｆ、背面１０−Ｂ、右側面１０−Ｒ、左側面１０−Ｌ側に設ければよい。
【００５３】
この場合には、特定部１０１は、マイクアレイの各マイクロフォンからの収音データに対して遅延処理を施して加算することにより収音方向の指向性を付与し、この遅延処理を制御して様々な収音方向における音量レベルを検出して、音量レベルが極大となる収音方向を発音方向と特定すればよい。抽出部１０２においては、各マイクロフォンからの収音データに対して、発音方向を収音方向とするような遅延処理を施して加算したオーディオデータを、その発音方向に対応するオーディオデータとして出力してもよい。このような技術は、例えば、特開２００７−８９０５８号公報などに記載されているものを用いればよい。
【００５４】
図８は、マイクアレイを有する録音再生装置１Ａを用いた場合に特定される発音方向の態様を示す図である。図８に示すように、マイクアレイを用いて発音方向を特定すると、より狭い範囲を発音方向として特定することができるから、楽器毎の音をより明確に分離して録音データを記憶部１２に記憶させることができる。
【００５５】
なお、演奏者が移動することなどにより発音方向が変化している場合には、特定部１０１は、発音方向の変化に応じて、特定する発音方向を変化させてもよい。例えば、図８に示すギター１３００の位置が変化した場合、特定部１０１は、その変化に追従して発音方向Ａとして特定される範囲を変化させればよい。
【００５６】
＜変形例２＞
上述した実施形態において、信号処理部１０３は信号処理としてＡＧＣ処理を行っていたが、他の信号処理であってもよい。例えば、エコー、リバーブ、といった音響効果を付与する処理であってもよいし、イコライジング処理であってもよい。また、周波数特性を変換する音声変換処理であってもよく、例えば人の声を楽器の音に変換するような処理であってもよい。このようにすれば、各発音方向からの音に対してそれぞれ異なる信号処理を行うことができる。なお、信号処理部１０３における信号処理は、これらの複数の処理を行うようにしてもよく、例えば、ＡＧＣ処理と音響効果付与処理とを行うようにしてもよい。また、信号処理部１０３においては、取得したオーディオデータの一部または全部に対して信号処理が行われなくてもよく、この場合には、取得したオーディオデータをそのまま出力すればよい。
【００５７】
また、再生部２００は、再生する各録音データに対して、操作ボタン１３１の操作に応じて音量バランスを調整する処理を行っていたが、操作ボタン１３１の操作に応じて、上述した音響効果付与処理、イコライジング処理、音声変換処理などの他の処理であってもよい。なお、再生部２００においても、これらの複数の処理が行えるようにしてもよい。
【００５８】
＜変形例３＞
上述した実施形態においては、録音部１００における特定部１０１、抽出部１０２などの処理は、収音データの出力に伴い、録音処理中にリアルタイムに処理されるようにしていたが、収音が終了した後に行うようにしてもよい。この場合には、録音処理が行われる期間に、各マイクロフォン１４１−１、１４１−２、１４１−３、１４１−４に対応する収音データを記憶部１２に記憶しておき、その期間が終了した後に、記憶部１２から各収音データを読み出して、実施形態における録音部１００の録音処理を行うようにしてもよい。
【００５９】
＜変形例４＞
上述した実施形態においては、合成部１０４は、信号処理部１０３から出力されたオーディオデータＤ１、Ｄ２、・・・、Ｄｎを取得し、これらを全て合成していたが、一部のオーディオデータを合成するようにしてもよい。どのオーディオデータを合成するようにするかは、操作ボタン１３１の操作などにより設定すればよい。
【００６０】
＜変形例５＞
上述した実施形態においては、特定部１０１は、録音処理中に発音方向を特定していたが、録音処理期間の最初に発音方向を特定する処理だけを行う方向特定期間を設け、方向特定期間が終了した後に、抽出部１０２は、方向特定期間において特定部１０１が特定した発音方向の音を抽出するようにすればよい。この場合には、方向特定期間において特定された発音方向は、録音処理中に変化することはなくなるが、方向特定期間終了後には特定部１０１の機能は停止することができ、処理の負荷を低減することができる。
【００６１】
＜変形例６＞
上述した実施形態における制御プログラムは、磁気記録媒体（磁気テープ、磁気ディスクなど）、光記録媒体（光ディスクなど）、光磁気記録媒体、半導体メモリなどのコンピュータ読取り可能な記録媒体に記憶した状態で提供し得る。また、ネットワークに接続可能な通信手段を設け、ネットワーク経由でダウンロードさせることも可能である。
【符号の説明】
【００６２】
１，１Ａ…録音再生装置、１０…筐体、１０−Ｔ…上面、１０−Ｆ…正面、１０−Ｒ…右側面、１０−Ｌ…左側面、１０−Ｂ…背面、１１…制御部、１２…記憶部、１３…操作部、１３１…操作ボタン、１４…収音部、１４１−１，１４１−２，１４１−３，１４１−４…マイクロフォン、１４２…カバー、１４３…アナログデジタル変換部、１５…放音部、１５１…スピーカ、１５２…ネット、１６…表示部、１６１…表示画面、１７…インターフェイス、１００…録音部、１０１…特定部、１０２…抽出部、１０３…信号処理部、１０４…合成部、１０５…出力部、２００…再生部、１０００…部屋、１１００…ドラム、１２００…ベース、１３００…ギター、１４００…ピアノ
【図１】
2010231089.tif 000003
【図２】
2010231089.tif 000004
【図３】
2010231089.tif 000005
【図４】
2010231089.tif 000006
【図５】
2010231089.tif 000007
【図６】
2010231089.tif 000008
【図７】
2010231089.tif 000009
【図８】
2010231089.tif 000010